(57)【要約】  全体的に、本開示は、バンドル化モバイルデバイス購入システムに関する。システムは、モバイルデバイス及びバンドルサービスを有してもよい。モバイルデバイスは、アプリケーションに関するアプリケーション識別子を含み、モバイルデバイス及びアプリケーションの購入を含む取引中にトランスポンダ回路に提供されるバンドル識別子を受信及び格納するよう構成されるトランスポンダ回路を含むものであってもよい。モバイルデバイスは更に、取引後にアプリケーションを受信及び格納するよう構成されるメモリ回路を有してもよい。バンドルサービスは、モバイルデバイスからのアプリケーション識別子の受信に応答して、アプリケーションをモバイルデバイスに提供するよう構成されるバンドルダウンロードモジュールを含むものであってもよい。
2015518623.tif 000002
【特許請求の範囲】
【請求項１】
アプリケーションに関するアプリケーション識別子を有するバンドル識別子であって、モバイルデバイス及び前記アプリケーションの購入を含む取引中にトランスポンダ回路に提供されるバンドル識別子を受信及び格納するよう構成されるトランスポンダ回路と、前記取引後に前記アプリケーションを受信及び格納するよう構成されるメモリ回路とを含むモバイルデバイスと、
前記モバイルデバイスから前記アプリケーション識別子を受信したことに応答して、前記アプリケーションを前記モバイルデバイスに提供するよう構成されるバンドルダウンロードモジュールを有するバンドルサービスと、
を有するシステム。
【請求項２】
前記アプリケーション識別子に少なくとも部分的に基づき前記バンドル識別子を生成するよう構成される購入システムを更に有する、請求項１記載のシステム。
【請求項３】
前記購入システムは更に、前記バンドル識別子を前記トランスポンダ回路に提供し、前記トランスポンダ回路に前記モバイルデバイスの電源を入れることなく前記バンドル識別子を格納させるよう構成される、請求項２記載のシステム。
【請求項４】
前記モバイルデバイスは、前記モバイルデバイスの電源オンに応答して、又はユーザリクエストに応答して前記アプリケーション識別子を前記バンドルサービスに提供するよう構成される、請求項１乃至３何れか一項記載のシステム。
【請求項５】
前記バンドル識別子は、前記取引中に購入されたサービスに関するサービス識別子を有し、
前記バンドルダウンロードモジュールは更に、前記モバイルデバイスからの前記サービス識別子の受信に応答して、前記サービスを起動するよう構成される、請求項１乃至３何れか一項記載のシステム。
【請求項６】
前記バンドル識別子は、前記取引中に提供及び受け入れたリワードに関するリワード識別子を有し、
前記バンドルダウンロードモジュールは更に、前記モバイルデバイスからの前記リワード識別子の受信に応答して、リワードコードを前記モバイルデバイスにダウンロードするよう構成される、請求項１乃至３何れか一項記載のシステム。
【請求項７】
前記トランスポンダ回路は、ＲＦＩＤ（Ｒａｄｉｏ  Ｆｒｅｑｕｅｎｃｙ  Ｉｄｅｎｔｉｆｉｃａｔｉｏｎ）モジュールである、請求項１乃至３何れか一項記載のシステム。
【請求項８】
モバイルデバイス及びアプリケーションを購入することを含む購入取引中に、前記アプリケーションに関するアプリケーション識別子を含むバンドル識別子を前記モバイルデバイスのトランスポンダ回路に格納するステップと、
前記購入取引の終了後に前記アプリケーションを前記モバイルデバイスにダウンロードするステップと、
を有する方法。
【請求項９】
前記バンドル識別子は更に、前記購入取引中に購入したサービスに関するサービス識別子を含み、
前記購入取引の終了後に前記サービスを起動するステップを更に有する、請求項８記載の方法。
【請求項１０】
前記バンドル識別子は更に、前記購入取引中に受け入れたリワードオファーに関するリワード識別子を有し、
前記購入取引の終了後に前記リワードオファーに関するリワードコードをダウンロードするステップを更に有する、請求項８記載の方法。
【請求項１１】
前記モバイルデバイスの電源オンに応答して、前記モバイルデバイスをバンドルサービスに接続するステップを更に有し、
前記バンドルサービスは、前記モバイルデバイスからの前記アプリケーション識別子を含むリクエストに応答して、前記アプリケーションを前記モバイルデバイスに提供するよう構成される、請求項８乃至１０何れか一項記載の方法。
【請求項１２】
ユーザリクエストに応答して、前記モバイルデバイスをバンドルサービスに接続するステップを更に有し、
前記バンドルサービスは、前記モバイルデバイスからの前記アプリケーション識別子を含むリクエストに応答して、前記アプリケーションを前記モバイルデバイスに提供するよう構成される、請求項８乃至１０何れか一項記載の方法。
【請求項１３】
ユーザが前記購入取引中に購入用の他のアプリケーション及びサービスの少なくとも１つを選択することを要求するステップと、
前記ユーザの選択に少なくとも部分的に基づき前記バンドル識別子を生成するステップと、
を更に有する、請求項８乃至１０何れか一項記載の方法。
【請求項１４】
前記購入取引中にユーザにリワードを提供するステップを更に有する、請求項８乃至１０何れか一項記載の方法。
【請求項１５】
アプリケーションに関するアプリケーション識別子を含むバンドル識別子であって、モバイルデバイス及び前記アプリケーションが取引において購入されることに応答して、前記取引中にトランスポンダ回路に提供されるバンドル識別子を受信及び格納するよう構成されるトランスポンダ回路と、
前記取引後に前記アプリケーションを受信及び格納するよう構成されるメモリ回路と、
を有するモバイルデバイス。
【請求項１６】
前記バンドル識別子は更に、前記取引中に購入されたサービスに関するサービス識別子を有する、請求項１５記載のモバイルデバイス。
【請求項１７】
前記バンドル識別子は更に、前記取引中に提供及び受け入れたリワードに関するリワード識別子を有する、請求項１５記載のモバイルデバイス。
【請求項１８】
前記トランスポンダ回路は、ＲＦＩＤ（Ｒａｄｉｏ  Ｆｒｅｑｕｅｎｃｙ  Ｉｄｅｎｔｉｆｉｃａｔｉｏｎ）モジュールである、請求項１５記載のモバイルデバイス。
【請求項１９】
前記モバイルデバイスは、前記モバイルデバイスの電源オンに応答して、前記アプリケーションのダウンロードを要求するよう構成される、請求項１５乃至１８何れか一項記載のモバイルデバイス。
【請求項２０】
前記モバイルデバイスは、ユーザリクエストに応答して前記アプリケーションのダウンロードを要求するよう構成される、請求項１５乃至１８何れか一項記載のモバイルデバイス。
【発明の詳細な説明】
【技術分野】
【０００１】
本開示は、モバイルデバイス購入システムに関し、より詳細にはバンドル化モバイルデバイス購入システムに関する。
【背景技術】
【０００２】
ユーザは、モバイルデバイス（スマートフォンなど）を購入し、以降に当該モバイルデバイスのための１以上のアプリケーション（“アップ”）を購入するかもしれない。アップは、アップストアなどのアップソースから購入されうる。このような購入は、典型的には、電子メールやクレジットカードなどのユーザの個人データによるモバイルデバイスの設定、アップストアへのアクセス、アップの選択、アップの購入及びモバイルデバイスへのアップのダウンロードを必要とする。従って、モバイルデバイスのためのアップの購入は、典型的には、モバイルデバイスの購入とは分離及び切断されている。
【０００３】
いくつかの状況では、ＯＥＭ／ＯＤＭ（Ｏｒｉｇｉｎａｌ  Ｅｑｕｉｐｍｅｎｔ  Ｍａｎｕｆａｃｔｕｒｅｒ／Ｏｒｉｇｉｎａｌ  Ｄｅｖｉｃｅ  Ｍａｎｕｆａｃｔｕｒｅｒ）は、エンドユーザによる購入前にモバイルデバイスに１以上のアップをプリロードしてもよい。プリロードされたアップは、一般にＯＥＭ／ＯＤＭにより選択され、エンドユーザの嗜好を反映していないかもしれない。
【図面の簡単な説明】
【０００４】
請求される主題の実施例の特徴及び効果は、以下の詳細な説明が進むに従って、また同様の数字が同様のパーツを示す図面を参照して明らかになるであろう。
【図１】図１は、本開示の各種実施例に従うバンドル化モバイルデバイス購入システムを示す。
【図２】図２は、本開示の実施例に従うバンドル化モバイルデバイスを購入するための一例となる処理のフローチャートを示す。
【図３】図３は、本開示の実施例に従うモバイルデバイスにアップ、サービス及び／又はリワードをダウンロードするための一例となる処理のフローチャートを示す。  以下の詳細な説明が例示的な実施例を参照して進められるが、それの多数の代替、改良及び変形が当業者に明らかになるであろう。
【発明を実施するための形態】
【０００５】
全体として、本開示はバンドル化モバイルデバイス購入システムに関する。本開示に従う装置、システム及び方法は、モバイルデバイスを購入するための取引中のアプリケーション（アップ）及び／若しくはサービスの購入並びに／又はリワード（ｒｅｗａｒｄ）の受け入れを可能にするよう構成される（すなわち、モバイルデバイスによる“バンドル化”）。再販売業者は、その後に購入したモバイルデバイスに製品バンドルに関連するバンドル識別子（バンドルＩＤ）を格納するかもしれない。例えば、バンドルＩＤは、各アップ、サービス及び／又はリワードに関連する識別子を含むものであってもよい。バンドルＩＤは更に、ユーザ購入詳細を含むものであってもよい。ユーザ購入詳細は、限定することなく、レシート番号などの一意的な購入識別子を含むものであってもよい。バンドルＩＤは、再販売業者がモバイルデバイスの電源を入れることなく（すなわち、電源オン）、モバイルデバイスに格納されてもよい。例えば、バンドルＩＤは、それのパッケージングからモバイルデバイスを取り出すことなく（すなわち、新たなインボックス）モバイルデバイスに格納されてもよい。アップ、サービス及び／又はリワードは、例えば、モバイルデバイスを電源を入れたことに応答し（ユーザによる最初のモバイルデバイスの電源オンなど）、ユーザのリクエストに応答して、及び／又はアップ、サービス及び／又はリワードのアップデートに応答して、モバイルデバイスにダウンロードされ（例えば、クラウドから）、及び／又は購入取引後にユーザに提供される。
【０００６】
アップは、限定することなく、教育用アップ、娯楽用アップ（ゲームなど）、情報用アップ（ニュース、天気、パーソナルナビゲーションなど）、健康関連アップ（食事、運動など）及び／又は当業者に知られる他のアップを含むものであってもよい。サービスは、限定することなく、携帯電話サービス、インターネットサービス、ディスカウントされたメディアコンテンツの購入、賞金によるオンラインバンクアカウントの開設、セキュリティ（自宅、車両など）、ナビゲーション、情報及び／又は当業者に知られる他のサービスを含むものであってもよい。リワードは、限定することなく、アップ及び／又はサービスを購入するためのリワード、アップ及び／又はサービスの以降の購入のためのリワードの提供、クーポン、ギフトカード及び／又は当業者に知られる他のリワードを含むものであってもよい。
【０００７】
従って、再販売業者は、ユーザによるモバイルデバイスの購入取引中にユーザにアップ、サービス及び／又はリワードを提供してもよい。ユーザは、モバイルデバイスによる購入のための１以上のアップ及び／又はサービスを選択してもよい。ユーザは更に、アップ、サービス及び／又はモバイルデバイスの購入に関連する１以上のリワード（クーポンなど）を受理することに同意してもよい。
【０００８】
このようにして、アップのための販売及びマーケティングチャネルは、例えば、再販売業者を含むよう拡張されうる。モバイルデバイスを購入するユーザは、アップ、サービス及びリワードのカスタマイズされた選択から利益を得てもよく、所望されないアップ、サービス及びリワードを避けてもよい。ユーザは更に、モバイルデバイスの購入取引中に製品バンドルを選択することによって役立ち、再販売業者は、購入された複数のアップ及び／若しくはサービス並びに／又は受け入れたリワードなどに基づき、ユーザにインセンティブを提供してもよい。アップ、サービス及び／又はリワードの以降のダウンロード／起動によるバンドルＩＤの利用は、モバイルデバイスの電源を入れる必要なく、モバイルデバイスにユーザが選択／受け入れたアップ、サービス及び／又はリワードを再販売業者が格納することを可能にするよう構成される。
【０００９】
図１は、本開示の各種実施例に従うバンドル化モバイルデバイス購入システム１００を示す。システム１００は、全体的にモバイルデバイス１０２、購入システム１０４、ネットワーク１０６及びバンドルサービス１０８を有する。ここで用いられる“モバイルデバイス”とは、限定することなく、携帯電話、スマートフォン、フィーチャフォン、タブレットコンピュータ、ウルトラポータブルコンピュータ、ウルトラモバイルコンピュータ、ネットブックコンピュータ、サブノートブックコンピュータ、ＰＤＡ（Ｐｅｒｓｏｎａｌ  Ｄｉｇｉｔａｌ  Ａｓｓｉｓｔａｎｔ）、ＥＤＡ（Ｅｎｔｅｒｐｒｉｓｅ  Ｄｉｇｉｔａｌ  Ａｓｓｉｓｔａｎｔ）、モバイルインターネットデバイス及びパーソナルナビゲーションデバイスを含むアップをダウンロード及び実行するよう構成される何れかの携帯計算デバイスを意味する。
【００１０】
モバイルデバイス１０２及び購入システム１０４はそれぞれ、通信回路１１０，１２０及びプロセッサ回路１１２，１２２を有する。通信回路１１０，１２０は、１以上の通信プロトコルに準拠及び／又は互換する１以上の信号を送受信するよう構成される。ここで用いられる信号及び／又は通信プロトコルは、限定することなく、ＮＦＣ（Ｎｅａｒ  Ｆｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）、Ｂｌｕｅｔｏｏｔｈ（登録商標）、Ｗｉ−Ｆｉ、３Ｇ、４Ｇ及び／又は他の通信プロトコルを含む。モバイルデバイス１０２及び購入システム１０４は、これらの通信プロトコルの１以上を介し通信するよう構成される。例えば、購入システム１０４は、ＮＦＣ又はＲＦＩＤを用いてバンドルＩＤをモバイルデバイス１０２に提供するモバイルデバイス１０２と通信するよう構成されてもよい。他の例では、購入システム１０４及び／又はモバイルデバイス１０２は、ＷｉＦｉなどを用いてネットワーク１０６を介しバンドルサービス１０８と通信するよう構成されてもよい。プロセッサ回路１１２は、モバイルデバイス１０２に含まれる１以上のアプリケーションに関連する処理を実行するよう構成される。プロセッサ回路１２２は、購入システム１０４に関連する処理を実行するよう構成される。
【００１１】
モバイルデバイス１０２は、ディスプレイ回路１１３、メモリ１１４及びトランスポンダ回路１１６を有する。ディスプレイ回路１１３は、ここに説明されるような情報をユーザに表示するよう構成される。ディスプレイ回路は更に、ユーザ入力を受信するよう構成されてもよい。例えば、ディスプレイ回路は、タッチスクリーンを有してもよい。モバイルデバイスメモリ１１４は、モバイルデバイスのオペレーティングシステム（ＯＳ１４０、バンドルアクセスアップ１４２及び１以上のアップ１４４Ａ，．．．，１４４Ｎ及び／又はリワードード１４６）を格納するよう構成される。
【００１２】
トランスポンダ回路１１６は、アンテナ１５０及びトランスポンダメモリ１５２を有する。トランスポンダメモリ１５２は、トランスポンダ識別子ＴＩＤ１５４及びバンドル識別子（バンドルＩＤ）１５６を格納するよう構成される。例えば、トランスポンダ回路１１６は、ＲＦＩＤモジュールであってもよい。他の例では、トランスポンダ回路１１６は、ＮＦＣモジュールであってもよい。いくつかの実施例では、トランスポンダ回路１１６はバッテリ１５３を有してもよい。バッテリ１５３は、例えば、購入システム１０４がＷｉ−Ｆｉ、３Ｇ又は４Ｇを用いてモバイルデバイスにバンドルＩＤ１５６を提供する場合などに通信回路１１０に電力を提供するよう構成される。
【００１３】
製造時、モバイルデバイス１０２は、アップ１４４Ａ，．．．，１４４Ｎなしに、リワードコード１４６なしに、及びバンドルＩＤ１５６なしに構成されてもよい。モバイルデバイス１０２は、モバイルデバイス１０２を一意的に特定するよう構成されるＴＩＤ１５４（デバイスシリアル番号など）が設けられてもよい。再販売業者は、購入システム１０４を用いてモバイルデバイス１０２の購入取引中にバンドル化製品のユーザ選択に少なくとも部分的に基づきバンドルＩＤを生成してもよい。例えば、再販売業者は、ユーザ／購入者が購入取引中に購入システム１０４にローカルとなるように物理的なエンティティ（すなわち、実店舗）であってもよい。他の例では、再販売業者は、ネットワーク１０６などのネットワークを介しリモートにユーザ／購入者によってアクセスされてもよい。
【００１４】
ユーザは、モバイルデバイス１０２を購入するための取引中に購入用の１以上のアップ及び／又はサービスを選択してもよい。ユーザには、取引中に１以上のリワードが提供されてもよい。リワードは、購入されたアップ、サービス及び／又はモバイルデバイスに関するものであってもよく、及び／又は可能な将来的な購入に関するものであってもよい。ユーザは、提供されたリワードを受け入れ又は拒絶することを選択してもよい。各アップ、サービス及びリワードは、一意的な識別子により特定されてもよい。例えば、各識別子は数値であってもよい。他の例では、１以上の識別子は英数字であってもよい。このとき、バンドルＩＤ１５６は、アップ、サービス及びリワード識別子に少なくとも部分的に基づき生成されてもよい。例えば、バンドルＩＤ１５６は、アップ、サービス及びリワード識別子の連結を含むものであってもよい。いくつかの実施例では、バンドルＩＤ１５６は更に、購入されたアップ及び／又はサービスの個数のインジケータを含むものであってもよい。いくつかの実施例では、バンドルＩＤ１５６は更に、レシート番号などの一意的な購入識別子を含むものであってもよい。いくつかの実施例では、少なくとも一部の識別子は、ユーザがここに説明されるようにダウンロードすべくアップ及び／又は起動すべきサービスを選択することを可能にするよう構成されてもよい。
【００１５】
購入システム１０４は、バンドル購入モジュール１２４及びプログラマモジュール１２６を有する。購入システム１０４は、バンドルＩＤをトランスポンダ回路１１６に提供するよう構成される。購入システム１０４は、バンドルＩＤ１５６をトランスポンダ回路１１６に提供するため、トランスポンダ回路１１６に一時的に接続されてもよい。例えば、購入システム１０４は、アンテナ１５０を介しトランスポンダ回路１１６と無線通信するよう構成されてもよい。このような無線通信は、ＮＦＣ（Ｎｅａｒ  Ｆｉｅｌｄ  Ｃｏｍｍｕｎｉｃａｔｉｏｎ）、ＲＦＩＤ、Ｂｌｕｅｔｏｏｔｈ（登録商標）及び／又は他の通信プロトコルを含むものであってもよい。
【００１６】
バンドル購入モジュール１２４は、モバイルデバイス１０２の購入取引中のユーザ選択を受信するよう構成される。このとき、バンドル購入モジュール１２４は、バンドルＩＤ１５６を生成し、プログラマモジュール１２６を用いてバンドルＩＤ１５６をモバイルデバイス１０２に提供するよう構成される。バンドル購入モジュール１２４は、ユーザに利用可能なアップ及び／又はサービスのリストを提供し、ユーザの選択を受信するよう構成されてもよい。バンドル購入モジュール１２４は更に、例えば、モバイルデバイス１０２の特性及び／又は購入用に選択されたアップ及び／又はサービスなどに基づき、リワードオファーをユーザに提供するよう構成されてもよい。いくつかの実施例では、アップ及び／又はサービスは、モバイルデバイス１０２に関するものであってもよい。
【００１７】
従って、１以上のアップ及び／又はサービスが、モバイルデバイス１０２などのモバイルデバイスを購入するための取引中に購入されてもよい。１以上のリワードは、当該購入取引中に提供されてもよい。このとき、バンドルＩＤが、購入されたアップ及び／又はサービス並びに受け入れたリワードを特定するよう生成及び構成されてもよい。バンドルＩＤは更に、一意的な購入識別子を有してもよい。バンドルＩＤは、このとき、モバイルデバイスの電源を入れることなくモバイルデバイスへの格納を可能にするＮＦＣ及び／又はＲＦＩＤなどを用いて、購入されたモバイルデバイスに格納されてもよい。従って、アップ及びサービスの購入は、再販売業者においてモバイルデバイスの購入と組み合わされてもよい。購入されたアップ及びサービスは、一般にユーザの嗜好に基づきユーザにより選択されてもよく、ユーザにより所望されないアップ及びサービスを回避する。
【００１８】
バンドルＩＤ１５６が再販売業者によるモバイルデバイス１０２に格納された後、モバイルデバイスは、ユーザに提供されてもよい。購入取引がローカルに実行された場合、ユーザには再販売業者の場所でモバイルデバイスが提供されてもよい。購入取引がリモートに実行された場合、トランスポンダメモリ１５２に格納されるバンドルＩＤ１５６を含むモバイルデバイス１０２が、ユーザに発送されてもよい。このとき、購入したアップはモバイルデバイス１０２にダウンロードされてもよく、購入したサービスがその後に起動され、及び／又は受け入れたリワードは、ユーザによるモバイルデバイスの受取後に償還されてもよい。モバイルデバイス１０２の電源が入れられたことに応答して、及び／又はユーザ選択に応答して、バンドルアクセスアップ１４２は、ネットワーク１０６などを介しバンドルサービス１０８にモバイルデバイス１０２の接続を実行するよう構成されてもよい。
【００１９】
バンドルサービス１０８は、通信回路１３０、１以上のプロセッサ（プロセッサ回路）１３２及びメモリ１３４を有してもよい。バンドルサービス１０８は、複数のサーバの１以上のサーバに対応してもよく、すなわち、クラウドにあってもよい。
プロセッサ回路１３２は、システム１００及びバンドルサービス１０８に関連する処理を実行するよう構成される。通信回路１３０は、ここに説明されるような１以上の通信プロトコルを用いてネットワーク１０６を介しモバイルデバイス１０２及び／又は購入システム１０４と有線及び／又は無線通信するよう構成される。通信プロトコルは、限定することなく、Ｗｉ−Ｆｉ、Ｂｌｕｅｔｏｏｔｈ（登録商標）、３Ｇ、４Ｇ及び／又は他の通信プロトコルを含むものであってもよい。
【００２０】
バンドルサービスメモリ１３４は、オペレーティングシステムＯＳ１６０、バンドルダウンロードモジュール１６２及びバンドルデータベース１６４を有してもよい。バンドルダウンロードモジュール１６２は、バンドルアクセスアップ１４２からのリクエストに応答して、購入したアップ及び受け入れたリワードのモバイルデバイス１０２へのダウンロード及び購入したサービスの起動を管理するよう構成される。バンドルダウンロードモジュール１６２は更に、モバイルデバイス１０２を介しユーザに更新されたアップ、サービス及び／又はリワードを提供するよう構成されてもよい。バンドルデータベース１６４は、複数のアップ及び関連するアップ識別子、複数のサービス記述子及び関連するサービス識別子並びに複数のリワードオファー記述子及び関連するリワード識別子（リワードコードなど）を格納するよう構成される。
【００２１】
例えば、モバイルデバイス１０２の電源オン及び／又はユーザ選択に応答して、バンドルアクセスアップ１４２は、トランスポンダメモリ１５２からバンドルＩＤ１５６を読み込むよう構成される。バンドルアクセスアップ１４２は、アップ、サービス及び／又はリワード識別子を決定するため、バンドルＩＤ１５６を解析又はパーシングするよう構成される。バンドルアクセスアップ１４２は、このとき、モバイルデバイス１０２とバンドルサービス１０８とを接続してもよい。バンドルアクセスアップ１４２は、このとき識別子に対応するアップ及び／又はリワードコードをダウンロードし、関連するサービスを起動するためのリクエストと共に、識別子をバンドルサービス１０８に提供してもよい。
【００２２】
いくつかの実施例では、バンドルアクセスアップ１４２は、ディスプレイ回路１１３を介しユーザにアップ、サービス及び／又はリワードコードのリストを表示するよう構成されてもよい。このとき、ユーザは、ダウンロードするアップ及び／又はリワードコード並びに／又は起動するサービスを選択してもよい。当該リストは、バンドルサービス１０８から受信された更新されたアップ、サービス及び／又はリワードオファーを含むものであってもよい。
【００２３】
バンドルダウンロードモジュール１６２は、モバイルデバイス１０２（及びバンドルアクセスアップ１４２）からアップ及び／若しくはリワードコードをダウンロードし、並びに／又はサービスを起動するためのリクエストと、識別子とを受信するよう構成される。識別子は、一意的な購入識別子を含むものであってもよい。これに応答して、バンドルダウンロードモジュール１６２は、バンドルデータベース１６４にアクセスし、受信したアップ識別子に対応するアップを抽出し、当該アップをモバイルデバイス１０２に提供するよう構成される。このとき、アップ１４４Ａ，．．．，１４４Ｎは、モバイルデバイスのメモリ１１４に格納されてもよい。バンドルダウンロードモジュール１６２は更に、リワード識別子に対応するリワードコードを抽出し、これらのリワードコード１４６をモバイルデバイス１０２に提供するよう構成されてもよい。このとき、リワードコード１４６は、モバイルデバイスのメモリ１１４に格納されてもよい。バンドルダウンロードモジュール１６２は、バンドルデータベース１６４に含まれる関連するサービス記述子に基づき、バンドルＩＤ１５６に含まれるサービス識別子に関連するサービスを起動するよう構成されてもよい。バンドルアクセスアップ１４２は更に、モバイルデバイスへのダウンロード後にリワード及び／又はリワードコードをユーザに表示するよう構成されてもよい。
【００２４】
いくつかの実施例では、購入システム１０４は、ネットワーク１０６を介しバンドルサービス１０８に接続するよう構成されてもよい。例えば、購入システム１０４は、利用可能なアップ及び／又はサービスとそれらの関連する識別子を決定するため、バンドルサービス１０８に接続してもよい。他の例では、購入システム１０４は、利用可能なリワードオファー及び関連する識別子を決定してもよい。他の例では、購入システム１０４は、購入取引に関連する情報をバンドルサービス１０８に提供してもよい。本例では、ＴＩＤ１５４及びバンドルＩＤは、バンドルサービス１０８に提供されてもよい。購入システム１０４とバンドルサービス１０８との間の通信は、ここに説明されるバンドル化モバイルデバイスの購入取引とは別に行われてもよい。
【００２５】
従って、モバイルデバイス１０２の購入取引中に選択及び購入されたアップ及び／若しくはサービス並びに／又はモバイルデバイス１０２の購入取引中に受け入れたリワードオファーは、バンドル１５６を用いて特定されてもよい。バンドルＩＤ１５６は、モバイルデバイス１０２の電源を入れることなく再販売業者による購入取引中にモバイルデバイス１０２に格納されてもよい。アップ、サービス及び／又はリワードコードは、このとき、購入取引後にダウンロード及び／又は起動されてもよい。
【００２６】
図２は、本開示の実施例に従う一例となる処理のフローチャート２００を示す。当該処理は、例えば、購入システム１０４などによって実行されてもよい。特に、フローチャート２００は、ユーザがモバイルデバイスの購入取引中にアップ及び／若しくはサービスを購入し、並びに／又はリワードオファーを受け入れることを可能にするよう構成される一例となる処理を示す。フローチャート２００の処理は、ユーザがモバイルデバイスの購入取引を開始したときに開始される（２０５）。ユーザは、アップ、サービス及び／又はリワードオファーを選択するよう要求されてもよい。リワードオファーは、アップ及び／又はサービスのユーザ選択に少なくとも部分的に基づくものであってもよい。例えば、ユーザが複数のアップを選択した場合、リワード（ギフトカードなど）が提供されてもよい。処理２１５は、ユーザ選択に少なくとも部分的に基づきバンドルＩＤを生成することを含む。バンドルＩＤは、モバイルデバイスと一緒に購入するためユーザが選択したアップ及び／又はサービス並びにユーザが受け入れた何れかのリワードオファーに対応するアップ識別子、サービス識別子及び／又はリワード識別子を含むものであってもよい。バンドルＩＤは更に、一意的な購入識別子を含むものであってもよい。
【００２７】
バンドルＩＤは、処理２２０においてモバイルデバイスに格納されてもよい。例えば、バンドルＩＤは、モバイルデバイスの電源を入れることなくモバイルデバイスの再販売業者によってモバイルデバイスに格納されてもよい。プログラムフローは、モバイルデバイスの購入取引の終了によって処理２２５において終了してもよい。例えば、モバイルデバイスの購入取引の完了は、再販売異業者によるモバイルデバイス、アップ及びサービスの支払の受取を含むものであってもよい。モバイルデバイスの購入取引は、アップ及び／又はサービスの選択及び購入を含み、リワードの提供及び受け入れを含むものであってもよい。
【００２８】
図３は、本開示の実施例に従う一例となる処理のフローチャート３００を示す。当該処理は、例えば、モバイルデバイス１０２及びバンドルサービス１０８により実行されてもよい。特に、フローチャート３００は、モバイルデバイスの購入取引中に購入されたアップをモバイルデバイスにダウンロード及び格納し、モバイルデバイスの購入取引中に購入されたサービスを起動し、購入取引中に提供及び受け入れたリワードコードをモバイルデバイスにダウンロード及び格納し、及び／又はアップデートオファーを受信するよう構成される一例となる処理を示す。
【００２９】
フローチャート３００の処理は、バンドルサービスとの接続を開始することによって開始されてもよい（３０５）。バンドルサービスへの接続は、モバイルデバイスの電源オン（購入取引後の最初の電源オンなど）及び／又はユーザリクエストに応答して開始されてもよい。例えば、ユーザは、利用可能な更新されたオファーの通知（アップ、サービス及び／又はリワード）を受信してもよい。バンドルＩＤがモバイルデバイスに存在するか否かは、処理３１０において決定されてもよい。例えば、バンドルＩＤは、モバイルデバイスのトランスポンダ回路に含まれる不揮発性メモリに格納されてもよい。バンドルＩＤがない場合、処理３１５において、ユーザに通知されてもよい。
【００３０】
バンドルＩＤが存在する場合、バンドルサービスとの接続は、処理３２０において確立されてもよい。処理３２５は、バンドルＩＤを読み込み、バンドルサービスに識別子を提供することを含む。バンドルＩＤに含まれる識別子は、ここに説明されるようなアップ識別子、サービス識別子及び／又はリワードオファー識別子を含むものであってもよい。処理３３０は、ユーザに所望のアップ、リワード及び／又はサービスを選択するよう要求することを含むものであってもよい。例えば、選択されたアップ及び／又はサービスのコストが購入取引中に支払われた金額に加えて関連するリワードを超過する場合など、存在する場合には更なるコストがユーザに通信されてもよい。このとき、ユーザは、差額を支払うか、又は選択を変更することを選んでもよい。処理３３５は、バンドルＩＤに少なくとも部分的に基づきアップ及び／又はリワードコードをダウンロードすることを含む。処理３３５は更に、バンドルＩＤに少なくとも部分的に基づきサービスを起動することを含むものであってもよい。プログラムフローは、処理３４０においてリターンしてもよい。
【００３１】
従って、フローチャート２００，３００の処理は、モバイルデバイスの購入取引中にアップ及び／又はサービスを再販売業者が販売し、ユーザが購入することを可能にするよう構成される。再販売業者は、取引中にユーザにリワードを提供してもよい。購入されたアップは、その後、モバイルデバイスにダウンロードされ、サービスは購入取引後に起動される。リワードコードがまた、ダウンロードされてもよい。
【００３２】
図２及び３は、各種実施例による各種処理を示すが、図２及び３に示される処理の必ずしも全てが他の実施例のために必要であるとは限らないことが理解されるべきである。実際、本開示の他の実施例では、図２及び３に示される処理及び／又はここに説明される他の処理が何れかの図面に具体的には示されないが、本開示に完全に従う方法により組み合わせ可能であることが、完全に想定される。従って、１つの図面に正確には示されない特徴及び／又は処理に関する請求項は、本開示の範囲及び内容の範囲内であるとみなされる。
【００３３】
ここに説明される処理の何れかは、１以上のプロセッサにより実行されると、本方法を実行する命令を個別に又は組み合わせて格納した１以上の記憶媒体を含むシステムにより実現されてもよい。ここで、プロセッサは、例えば、サーバＣＰＵ、モバイルデバイスＣＰＵ及び／又は他のプログラマブル回路などを含むものであってもよい。また、ここに説明される処理は、複数の異なる物理的位置にある処理構成などの複数の物理的デバイスに分散されてもよい。記憶媒体は、例えば、フロッピー（登録商標）ディスク、光ディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＣＤ−ＲＷ（Ｃｏｍｐａｃｔ  Ｄｉｓｋ  ＲｅＷｒｉｔａｂｌｅ）、光磁気ディスクなどを含む何れかのタイプのディスク、ＲＯＭ（Ｒｅａｄ−Ｏｎｌｙ  Ｍｅｍｏｒｙ）、ダイナミック及びスタティックＲＡＭ（Ｒａｎｄｏｍ  Ａｃｃｅｓｓ  Ｍｅｍｏｒｙ）などのＲＡＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、フラッシュメモリ、ＳＳＤ（Ｓｏｌｉｄ  Ｓｔａｔｅ  Ｄｉｓｋ）、磁気若しくは光カードなどの半導体デバイス、又は電子命令を格納するのに適した何れかのタイプの媒体などの何れかのタイプの有形媒体を含むものであってもよい。他の実施例は、プログラマブル制御デバイスにより実行されるソフトウェアモジュールとして実現されてもよい。記憶媒体は、非一時的であってもよい。
【００３４】
モバイルデバイス１０２及び購入システム１０４は、各種通信プロトコルを用いてネットワーク１０６及び／又はバンドルサービス１０８と通信するよう構成されてもよい。通信プロトコルは、限定することなく、ＮＦＣ、ＲＦＩＤ、Ｗｉ−Ｆｉ、Ｂｌｕｅｔｏｏｔｈ（登録商標）、３Ｇ、４Ｇ及び／又は他の通信プロトコルなどの無線通信プロトコルを含むものであってもよい。購入システム１０４は、一般にローカル通信用に構成された通信プロトコルを用いて、モバイルデバイス１０２と通信するよう一般に構成されてもよい。ローカル通信プロトコルは、限定することなく、ＮＦＣ、ＲＦＩＤ及びＢｌｕｅｔｏｏｔｈ（登録商標）を含むものであってもよい。Ｗｉ−Ｆｉプロトコルは、２００７年３月８日に公開されたＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）による“ＩＥＥＥ  ８０２．１１−２００７  Ｓｔａｎｄａｒｄ，ＩＥＥＥ  Ｓｔａｎｄａｒｄ  ｆｏｒ  Ｉｎｆｏｒｍａｔｉｏｎ  Ｔｅｃｈｎｏｌｏｇｙ−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ−Ｌｏｃａｌ  ａｎｄ  Ｍｅｔｒｏｐｏｌｉｔａｎ  Ａｒｅａ  Ｎｅｔｗｏｒｋｄｓ−Ｓｐｅｃｉｆｉｃ  Ｒｅｑｕｉｒｅｍｅｎｔｓ−Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ”というタイトルの８０２．１１規格及び／又は当該規格の以降のバージョンに準拠又は互換するものであってもよい。
【００３５】
ＮＦＣ及び／又はＲＦＩＤ通信信号及び／又はプロトコルは、“Ｉｄｅｎｔｉｆｉｃａｔｉｏｎ  ｃａｒｄｓ−Ｃｏｎｔａｃｔｌｅｓｓ  ｉｎｔｅｇｒａｔｅｄ  ｃｉｒｃｕｉｔ  ｃａｒｄｓ−Ｐｒｏｘｉｍｉｔｙ  ｃａｒｄｓ”というタイトルで２００８年に公開されたＩＳＯ／ＩＥＣ１４４４３、“Ｉｄｅｎｔｉｆｉｃａｔｉｏｎ  ｃａｒｄｓ−Ｃｏｎｔａｃｔｌｅｓｓ  ｉｎｔｅｇｒａｔｅｄ  ｃｉｒｃｕｉｔ  ｃａｒｄｓ−Ｖｉｃｉｎｉｔｙ  ｃａｒｄｓ”というタイトルで２００６年に公開されたＩＳＯ／ＩＥＣ１５６９３、“Ｉｎｆｏｒｍａｔｉｏｎ  ｔｅｃｈｎｏｌｏｇｙ−Ｒａｄｉｏ  ｆｒｅｑｕｅｎｃｙ  ｉｄｅｎｔｉｆｉｃａｔｉｏｎ  ｆｏｒ  ｉｔｅｍ  ｍａｎａｇｅｍｅｎｔ”というタイトルで２００８年に公開されたＩＳＯ／ＩＥＣ１８０００及び／又は“Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｎｅａｒ  Ｆｉｅｌｄ  Ｃｏｍｍｕｎｉｃａｔｉｏｎ−Ｉｎｔｅｒｆａｃｅ  ａｎｄ  Ｐｒｏｔｏｃｏｌ”というタイトルで２００４年に公開されたＩＳＯ／ＩＥＣ１８０９２及び／又はこれらの規格の以降のバージョンを含む、ＩＳＯ（ｔｈｅ  Ｉｎｔｅｒｎａｔｉｏｎａｌ  Ｓｔａｎｄａｒｄｓ  Ｏｒｇａｎｉｚａｔｉｏｎ）及び／又はＩＥＣ（ｔｈｅ  Ｉｎｔｅｒｎａｔｉｏｎａｌ  Ｅｌｅｃｔｒｏｔｅｃｈｎｉｃａｌ  Ｃｏｍｍｉｓｓｉｏｎ）により公開された１以上のＮＦＣ及び／又はＲＦＩＤ規格に準拠又は互換するものであってもよい。
【００３６】
Ｂｌｕｅｔｏｏｔｈ（登録商標）プロトコルは、“ＩＥＥＥ  ８０２．１５．１−２００５  ｓｔａｎｄａｒｄ，ＩＥＥＥ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃｉ  ｒｅｑｕｉｒｅｍｅｎｔｓ  Ｐａｒｔ  １５．１：Ｗｉｒｅｌｅｓｓ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ  ｆｏｒ  Ｗｉｒｅｌｅｓｓ  Ｐｅｒｓｏｎａｌ  Ａｒｅａ  Ｎｅｔｗｏｒｋｓ（Ｗ  Ｐａｎ）”というタイトルにより２００５年にＩＥＥＥにより公開された８０２．１５．１規格及び／又は当該規格の以降のバージョンに準拠又は互換するものであってもよい。
【００３７】
３Ｇプロトコルは、“ＩＭＴ−２０００”というタイトルにより２０００年にＩＴＵ（ｔｈｅ  Ｉｎｔｅｒｎａｔｉｏｎａｌ  Ｔｅｌｅｃｏｍｍｕｎｉｃａｔｉｏｎ  Ｕｎｉｏｎ）により公開されたＩＭＴ（ｔｈｅ  Ｉｎｔｅｒｎａｔｉｏｎａｌ  Ｍｏｂｉｌｅ  Ｔｅｌｅｃｏｍｍｕｎｉｃａｔｉｏｎｓ）規格及び／又は当該規格の以降のバージョンに準拠又は互換するものであってもよい。４Ｇプロトコルは、“ＩＭＴ−Ａｄｖａｎｃｅｄ”というタイトルによりＩＭＴにより２００８年に公開されたＩＭＴ規格及び／又は当該規格の以降のバージョンに準拠又は互換するものであってもよい。
【００３８】
例えば、ネットワーク１０６は、パケット交換ネットワークから構成されてもよい。モバイルデバイス１０２及び購入システム１０４は、選択されたパケット交換ネットワーク通信プロトコルを用いて、バンドルサービス１０８と通信可能であってもよい。一例となる通信プロトコルは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を利用した通信を許容可能なイーサネット（登録商標）通信プロトコルを含むものであってもよい。イーサネット（登録商標）プロトコルは、“ＩＥＥＥ  ８０２．３  Ｓｔａｎｄａｒｄ”というタイトルによりＩＥＥＥによって２００２年３月に公開されたイーサネット（登録商標）規格及び／又は当該規格の以降のバージョンに準拠又は互換するものであってもよい。あるいは又は更に、モバイルデバイス１０２及び購入システム１０４は、Ｘ．２５通信プロトコルを用いてバンドルサービス１０８と通信可能であってもよい。Ｘ．２５通信プロトコルは、ＩＴＵ−Ｔ（ｔｈｅ  Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）により公開された規格に準拠又は互換してもよい。あるいは又は更に、モバイルデバイス１０２及び購入システム１０４は、フレームリレイ通信プロトコルを用いてバンドルサービス１０８と通信可能であってもよい。フレームリレイ通信プロトコルは、ＣＣＩＴＴ（Ｃｏｎｓｕｌｔａｔｉｖｅ  Ｃｏｍｍｉｔｔｅｅ  ｆｏｒ  Ｉｎｔｅｒｎａｔｉｏｎａｌ  Ｔｅｌｅｇｒａｐｈ  ａｎｄ  Ｔｅｌｅｐｈｏｎｅ）及び／又はＡＮＳＩ（ｔｈｅ  Ａｍｅｒｉｃａｎ  Ｎａｔｉｏｎａｌ  Ｓｔａｎｄａｒｄｓ  Ｉｎｓｔｉｔｕｔｅ）により公開された規格に準拠又は互換してもよい。あるいは又は更に、モバイルデバイス１０２及び購入システム１０４は、非同期伝送モード（ＡＴＭ）通信プロトコルを用いてバンドルサービス１０８と」通信可能であってもよい。ＡＴＭ通信プロトコルは、“ＡＴＭ−ＭＰＬＳ  Ｎｅｔｗｏｒｋ  Ｉｎｔｅｒｗｏｒｋｉｎｇ  １．０”というタイトルにより２００１年８月にＡＴＭフォーラムにより公開されたＡＴＭ規格及び／又は当該規格の以降のバージョンに準拠又は互換してもよい。もちろん、異なる及び／又は以降に開発された接続指向ネットワーク通信プロトコルは等しくここに想定される。
【００３９】
ここでの何れかの実施例において用いられる“回路”とは、例えば、プログラマブル回路により実行される命令を格納する配線回路、プログラマブル回路、状態マシーン回路及び／又はファームウェアなどを単独で又は何れかの組み合わせにより有してもよい。アップは、ホストプロセッサや他のプログラマブル回路などのプログラマブル回路上で実行可能なコード又は命令として実現されてもよい。ここでの何れかの実施例により用いられるモジュールは、回路として実現されてもよい。当該回路は、集積回路チップなどの集積回路として実現されてもよい。
【００４０】
従って、本開示に従うシステム及び方法は、ユーザがモバイルデバイスの購入取引においてモバイルデバイスと共に選択されたアップ及び／又はサービスを購入することを可能にする。ユーザは、当該ユーザの嗜好に固有のアップ及び／又はサービスを選択してもよい。ユーザは、当該選択に基づきリワードが提供され、当該購入に少なくとも部分的に基づきリワードオファーの利益を得てもよい。再販売業者は、モバイルデバイスの購入取引中にバンドル化されたアップ及び／又はサービスの購入を提供することによって、ユーザにより多くの価値を提供してもよい。
【００４１】
バンドルＩＤは、再販売業者によるモバイルデバイスの電源オンを必要とすることなく（すなわち、それの“新たなインボックス”パッケージングからモバイルデバイスを取り出すことなく）、モバイルデバイスにおけるユーザの選択を特定するよう構成される。購入されたアップ及び／又は受け入れたリワードオファーは、その後にダウンロードされ、及び／又は購入されたサービスは、例えば、モバイルデバイスの電源オン及び／又はユーザリクエストなどに応答して、購入取引後に起動されてもよい。
【００４２】
一態様によると、システムが提供される。システムは、モバイルデバイス及びバンドルサービスを有してもよい。モバイルデバイスは、アプリケーションに関するアプリケーション識別子を含むバンドル識別子を受信及び格納するよう構成されるトランスポンダ回路を有してもよい。本例では、バンドル識別子は、モバイルデバイス及びアプリケーションの購入を含む取引中にトランスポンダ回路に提供されてもよい。モバイルデバイスは更に、取引後にアプリケーションを受信及び格納するよう構成されるメモリ回路を有してもよい。本例に続いて、バンドルサービスは、モバイルデバイスからのアプリケーション識別子の受信に応答して、アプリケーションをモバイルデバイスに提供するよう構成されるバンドルダウンロードモジュールを有してもよい。
【００４３】
他の例となるシステムは、上述したコンポーネントを有し、更にアプリケーション識別子に少なくとも部分的に基づきバンドル識別子を生成するよう構成される購入システムを有する。
【００４４】
他の例となるシステムは、上述したコンポーネントを有し、購入システムは更に、バンドル識別子をトランスポンダ回路に提供し、トランスポンダ回路にモバイルデバイスの電源を入れることなくバンドル識別子を格納させるよう構成される。
【００４５】
他の例となるシステムは、上述したコンポーネントを有し、モバイルデバイスは、モバイルデバイスの電源オンに応答して、又はユーザリクエストに応答してアプリケーション識別子をバンドルサービスに提供するよう構成される。
【００４６】
他の例となるシステムは、上述したコンポーネントを有し、バンドル識別子は、取引中に購入されたサービスに関するサービス識別子を有し、バンドルダウンロードモジュールは更に、モバイルデバイスからのサービス識別子の受信に応答して、サービスを起動するよう構成される。
【００４７】
他の例となるシステムは、上述したコンポーネントを有し、バンドル識別子は、取引中に提供及び受け入れたリワードに関するリワード識別子を有し、バンドルダウンロードモジュールは更に、モバイルデバイスからのリワード識別子の受信に応答して、リワードコードをモバイルデバイスにダウンロードするよう構成される。
【００４８】
他の例となるシステムは、上述したコンポーネントを有し、トランスポンダ回路は、ＲＦＩＤ（Ｒａｄｉｏ  Ｆｒｅｑｕｅｎｃｙ  Ｉｄｅｎｔｉｆｉｃａｔｉｏｎ）モジュールである。
【００４９】
他の態様によると、方法が提供される。本方法は、購入取引中にモバイルデバイスのトランスポンダ回路にバンドル識別子を格納することを含んでもよい。本例では、購入取引は、モバイルデバイス及びアプリケーションを購入することを含み、バンドル識別子はアプリケーションに関するアプリケーション識別子を含むものであってもよい。本方法は更に、購入取引の終了後にモバイルデバイスにアプリケーションをダウンロードすることを含むものであってもよい。
【００５０】
他の例となる方法は、上述した処理を有し、バンドル識別子は更に、購入取引中に購入したサービスに関するサービス識別子を含み、本方法は更に、購入取引の終了後にサービスを起動することを有する。
【００５１】
他の例となる方法は、上述した処理を有し、バンドル識別子は更に、購入取引中に受け入れたリワードオファーに関するリワード識別子を有し、本方法は更に、購入取引の終了後にリワードオファーに関するリワードコードをダウンロードすることを有する。
【００５２】
他の例となる方法は、上述した処理を有し、モバイルデバイスの電源オンに応答して、モバイルデバイスをバンドルサービスに接続することを更に有し、バンドルサービスは、モバイルデバイスからのアプリケーション識別子を含むリクエストに応答して、アプリケーションをモバイルデバイスに提供するよう構成される。
【００５３】
他の例となる方法は、上述した処理を有し、ユーザリクエストに応答して、モバイルデバイスをバンドルサービスに接続することを更に有し、バンドルサービスは、モバイルデバイスからのアプリケーション識別子を含むリクエストに応答して、アプリケーションをモバイルデバイスに提供するよう構成される。
【００５４】
他の例となる方法は、上述した処理を有し、ユーザが購入取引中に購入用の他のアプリケーション及びサービスの少なくとも１つを選択することを要求することと、ユーザの選択に少なくとも部分的に基づきバンドル識別子を生成することとを更に有する。
【００５５】
他の例となる方法は、上述した処理を有し、購入取引中にユーザにリワードを提供することを更に有する。
【００５６】
他の態様によると、モバイルデバイスが提供される。モバイルデバイスは、アプリケーションに関するアプリケーション識別子を含むバンドル識別子を受信及び格納するよう構成されるトランスポンダ回路を有してもよい。本例では、バンドル識別子は、モバイルデバイス及びアプリケーションが取引において購入されることに応答して、取引中にトランスポンダ回路に提供されてもよい。モバイルデバイスは更に、取引後にアプリケーションを受信及び格納するよう構成されるメモリ回路を有してもよい。
【００５７】
他の例となるモバイルデバイスは、上述したコンポーネントを有し、モバイルデバイスは、モバイルデバイスの電源オンに応答してアプリケーションのダウンロードを要求するよう構成される。
【００５８】
他の例となるモバイルデバイスは、上述したコンポーネントを有し、モバイルデバイスは、ユーザリクエストに応答してアプリケーションのダウンロードを要求するよう構成される。
【００５９】
他の例となるモバイルデバイスは、上述したコンポーネントを有し、バンドル識別子は更に、取引中に購入されたサービスに関するサービス識別子を有する。
【００６０】
他の例となるモバイルデバイスは、上述したコンポーネントを有し、バンドル識別子は更に、取引中に提供及び受け入れたリワードに関するリワード識別子を有する。
【００６１】
他の例となるモバイルデバイスは、上述したコンポーネントを有し、トランスポンダ回路は、ＲＦＩＤ（Ｒａｄｉｏ  Ｆｒｅｑｕｅｎｃｙ  Ｉｄｅｎｔｉｆｉｃａｔｉｏｎ）モジュールである。
【００６２】
ここで用いられた用語及び表現は、限定することなく説明の用語として利用され、当該用語及び表現の使用において、図示及び説明された特徴（又はその一部）の何れかの均等を排除することを意図しておらず、各種修正が請求項の範囲内において可能であることが認識される。従って、請求項は、このような全ての均等をカバーすることが意図される。
【図１】
2015518623.tif 000003
【図２】
2015518623.tif 000004
【図３】
2015518623.tif 000005
【国際調査報告】
2015518623.tif 000006
2015518623.tif 000007